(57)【要約】【課題】液体噴射ヘッドの部品点数を減らすとともに、熱によるカシメでの固定構造を採用しなくて済み、構造の簡単化が図れる液体噴射ヘッドおよび液体噴射装置を提供すること。【解決手段】液体をノズル面から噴射する液体噴射ヘッド３０であって、突出部２００を有するケース３４０と、ケースの突出部２００に配置されてノズル面と、ノズル面から液体を噴射するためのアクチュエータとを有するヘッドユニット３１０と、ヘッドユニット３１０のノズル面の周縁部を支持してケースの突出部２００の外周面を覆うようにしてケース３４０に対してはめ合いにより固定されるカバー部材３７０と、を備える。【選択図】図４
2006224424.tif 000002
【特許請求の範囲】
【請求項１】
液体をノズル面から噴射する液体噴射ヘッドであって、
突出部を有するケースと、
前記ケースの前記突出部に配置されて、前記ノズル面と、前記ノズル面から前記液体を噴射するためのアクチュエータとを有するヘッドユニットと、
前記ヘッドユニットの前記ノズル面の周縁部を支持して前記ケースの前記突出部の外周面を覆うようにして前記ケースに対してはめ合いにより固定されるカバー部材と、
を備えることを特徴とする液体噴射ヘッド。
【請求項２】
前記カバー部材は金属材により作られており、前記カバー部材は前記ケースに対して着脱自在に固定される固定用端部を有していることを特徴とする請求項１に記載の液体噴射ヘッド。
【請求項３】
前記ケースの内面側には基板が配置されており、前記基板と前記ヘッドユニットの前記アクチュエータを電気的に接続する電気接続部材が、前記突出部の外面と前記カバー部材の内面の間に配置されていることを特徴とする請求項１または請求項２に記載の液体噴射ヘッド。
【請求項４】
前記カバー部材は、前記ヘッドユニットの前記ノズル面の周縁部を密着して支持していることを特徴とする請求項３に記載の液体噴射ヘッド。
【請求項５】
液体をノズル面から噴射する液体噴射ヘッドを有する液体噴射装置であって、
前記液体噴射ヘッドは、
突出部を有するケースと、
前記ケースの前記突出部に配置されて、前記ノズル面と、前記ノズル面から前記液体を噴射するためのアクチュエータとを有するヘッドユニットと、
前記ヘッドユニットの前記ノズル面の周縁部を支持して前記ケースの前記突出部の外周面を覆うようにして前記ケースに対してはめ合いにより固定されるカバー部材と、
備えることを特徴とする液体噴射装置。
【発明の詳細な説明】
【技術分野】
【０００１】
本発明は、液体を噴射する液体噴射ヘッドおよび液体噴射ヘッドを有する液体噴射装置に関する。
【背景技術】
【０００２】
ターゲットに対して液体を噴射させる液体噴射装置として、記録ヘッドから記録媒体に対してインク滴を噴射させて印刷を行うインクジェット式記録装置が知られている。
そして、このようなインクジェット式記録装置は、インクカートリッジからインクの供給を受けるインクジェット式記録ヘッドと、記録用紙を記録ヘッドに対して相対的に移動させる紙送り手段を備え、インクジェット式記録ヘッドをキャリッジ上で記録用紙の幅方向に移動させながら記録ヘッドのノズルから記録媒体に対してインク滴を吐出させることによって、所望の文字や図形等の画像を記録する。
【０００３】
この種の記録ヘッドは、ケースと、このケースに対して取り付けられるヘッドユニットおよびカバーヘッドを有している。カバーヘッドは、ヘッドユニットのノズル部品の周囲を覆うようになっている金属製の部品である。カバーヘッドは、左右に腕を有していて、この腕は、ケースから突き出たピンにはめ込まれている。このピンは、熱により溶かすことにより、カバーヘッドはケースに対してカシメることで固定する構造である（例えば特許文献１）。
【０００４】
【特許文献１】特開２００４−１２２５１７号公報（図４）
【発明の開示】
【発明が解決しようとする課題】
【０００５】
ところが、特許文献１に開示されている記録ヘッドでは次のような問題がある。すなわち、カバーヘッドは上述したように複数の腕を有していて、これらの腕は、ケース側のピンに対してはめ込んでカシメにより固定する構造である。このために、ヘッドユニットのノズル部品の大きさに比べて、かなりカバーヘッド部分が大きくなってしまう。ケースはたとえばプラスチックによって作られているが、このプラスチックが上ケースと下ケースにより構成されていることが多く、上ケース、下ケース、ヘッドユニットおよびカバーヘッドの部品により構成されるために、部品点数が多く、記録ヘッドの小型化が難しい。
【０００６】
そこで本発明は上記課題を解消し、液体噴射ヘッドの部品点数を減らすとともに、熱によるカシメでの固定構造を採用しなくて済み、構造の簡単化が図れる液体噴射ヘッドおよび液体噴射装置を提供することを目的としている。
【課題を解決するための手段】
【０００７】
上記目的は、本発明にあっては、液体をノズル面から噴射する液体噴射ヘッドであって、突出部を有するケースと、前記ケースの前記突出部に配置されて、前記ノズル面と、前記ノズル面から前記液体を噴射するためのアクチュエータとを有するヘッドユニットと、前記ヘッドユニットの前記ノズル面の周縁部を支持して前記ケースの前記突出部の外周面を覆うようにして前記ケースに対してはめ合いにより固定されるカバー部材と、を備えることを特徴とする液体噴射ヘッドにより、達成される。
本発明の構成によれば、ケースは突出部を有している。ヘッドユニットは、ケースの突出部に配置されてノズル面と、ノズル面から液体を噴射するためのアクチュエータを有している。
カバー部材は、ヘッドユニットのノズル面の周縁部を支持してケースの突出部の外周面を覆うようにしてケースに対してはめ合いにより固定される。
これにより、ヘッドユニットはケースの突出部に配置した後に、カバー部材は、ヘッドユニットのノズル面の周縁部を支持しながらケースの突出部の外周面を覆うようにしてケースに対してはめ合いにより簡単にかつ確実に固定することができる。液体噴射ヘッドは、ケース、ヘッドユニットおよびカバー部材により構成するだけで済むので、液体噴射ヘッドの構造が簡単になり、小型化が図れ、組立性も向上する。
【０００８】
本発明は、前記カバー部材は金属材により作られており、前記カバー部材は前記ケースに対して着脱自在に固定される固定用端部を有していることが好ましい。
本発明の構成によれば、カバー部材は金属材により作られている。カバー部材はケースに対して着脱自在に固定されている。
これにより、カバー部材は金属材で作ることにより、ケースの突出部を覆うような形状であってもカバー部材は簡単に作ることができる。そしてカバー部材の固定用端部は、ケースに対して着脱自在に固定できることにより、ケースへのカバー部材の取付けおよびケースからカバー部材を取り外すのが容易に行える。
【０００９】
本発明は、前記ケースの内面側には基板が配置されており、前記基板と前記ヘッドユニットの前記アクチュエータを電気的に接続する電気接続部材が、前記突出部の外面と前記カバー部材の内面の間に配置されていることが好ましい。
本発明の構成によれば、ケースの内面側には基板が配置されている。基板とヘッドユニットのアクチュエータを電気的に接続する電気接続部材は、突出部の外面とカバー部材の内面の間に配置されている。
これにより、基板と電気接続部材は、カバー部材により覆われることにより、ヘッドユニットのノズル面が吐出する液体にはさらされること無く、カバー部材は液体の付着による電気的なトラブルを防ぐことができる。
【００１０】
本発明は、前記カバー部材は、前記ヘッドユニットの前記ノズル面の周縁部を密着して支持していることが好ましい。
本発明の構成によれば、カバー部材は、ヘッドユニットのノズル面の周縁部を接着材を介して密着支持している。
これにより、ノズル面から噴射した液体が、カバー部材とノズル面の周縁部の間から内部に侵入するのを確実に防ぐことができ、液体が基板や電気接続部材に対して付着するのを防ぐことができる。
【００１１】
上記目的は、本発明にあっては、液体をノズル面から噴射する液体噴射ヘッドを有する液体噴射装置であって、前記液体噴射ヘッドは、突出部を有するケースと、前記ケースの前記突出部に配置されて前記ノズル面と、前記ノズル面から前記液体を噴射するためのアクチュエータとを有するヘッドユニットと、前記ヘッドユニットの前記ノズル面の周縁部を支持して前記ケースの前記突出部の外周面を覆うようにして前記ケースに対してはめ合いにより固定されるカバー部材と、備えることを特徴とする液体噴射装置により、達成される。
これにより、ヘッドユニットはケースの突出部に配置した後に、カバー部材は、ヘッドユニットのノズル面の周縁部を支持しながらケースの突出部の外周面を覆うようにしてケースに対してはめ合いにより簡単にかつ確実に固定することができる。液体噴射ヘッドは、ケース、ヘッドユニットおよびカバー部材により構成するだけで済むので、構造が簡単になり、小型化が図れ、組立性も向上する。
【発明を実施するための最良の形態】
【００１２】
以下、本発明の好適な実施の形態を図面を参照して説明する。
図１は、本発明の液体噴射装置の好ましい実施形態であるインクジェット式記録装置１０を示している。
図１に示すインクジェット式記録装置１０は、インクジェットプリンタとも呼んでいる。インクジェット式記録装置１０は、本体部１を有している。この本体部１は、ガイドレール１７、プラテン１２、キャリッジ１４、インク吸引装置２０、記録ヘッド３０を備えている。記録ヘッド３０は、液体の噴射ヘッドの一例であり、印刷ヘッドとも言う。
【００１３】
図１に示すインクジェット式記録装置１０は、いわゆるオンキャリッジ型の記録装置であり、キャリッジ１４の上部には、複数のインクカートリッジ２，３，４，５が着脱可能に装着できる。キャリッジ１４の下部には、記録ヘッド３０が設けられている。キャリッジ１４は、ベルト１５を介してモータ１６に接続されている。モータ１６が作動することによって、キャリッジ１４はガイドレール１７に沿ってプラテン１２の軸方向である主走査方向Ｔに往復走行する。
【００１４】
ホームポジション１８は、ガイドレール１７の一方の端部に位置している。このホームポジション１８は、キャリッジの走行経路の末端にある非印刷領域である。このホームポジション１８には、本体部１の上にインク吸引装置２０が配置されている。このインク吸引装置２０は、液体吸引装置の一例でありキャッピングシステムもしくはキャッピング手段とも呼んでいる。図１のキャリッジ１４の記録ヘッド３０は、Ｔ１方向に沿ってホームポジション１８に移動することで、インク吸引装置２０のキャップ本体２１に対面する。
【００１５】
インク吸引装置２０は、記録ヘッド３０のノズル開口のインクの乾燥を防止する機能と、吸引ポンプ１９からの負圧をノズル開口に作用させてノズル開口からインクを強制的に吸引して排出させる機能を備える。この吸引ポンプ１９は、インク吸引装置２０を構成する一構成要素である。インク吸引装置２０は、液体吸引装置の一例である。インクは液体の一例である。
この他に、インク吸引装置２０の横には、ワイピング部材４００が設けられている。このワイピング部材４００は、必要に応じて記録ヘッド３０のノズルプレート面のインクを払拭する。
【００１６】
図２は、図１に示すインクジェット式記録装置１０の電気的な接続例を示している。インクジェット式記録装置１０の制御装置７は、ローカルプリンタケーブルまたは通信ネットワークを介してホストコンピュータ４０のプリンタドライバ４１に接続されている。プリンタドライバ４１は、インクジェット式記録装置１０に対して印刷やクリーニング動作あるいはインク吸引動作を実行させるためのコマンドを送るソフトウェアを搭載している。
図２に示すインクジェット式記録装置１０は、制御装置７の他に、センサー８、インク吸引装置２０、インクカートリッジ２，３，４，５、記録ヘッド３０、キャリッジ１４、用紙搬送機構１５Ａを含んでいる。
【００１７】
図１の実施形態では、複数のインクカートリッジ２，３，４，５が、キャリッジ１４の上に直接搭載されているが、これに限らずインクカートリッジ２，３，４，５がキャリッジとは別の位置に搭載されている、いわゆるオフキャリッジ型のインクジェット式記録装置を採用しても勿論構わない。
図２の用紙搬送機構１５Ａは、図１の用紙２９をプラテン１２上を搬送するようになっている。用紙２９は記録媒体の一種である。
【００１８】
図３は、図１に示す記録ヘッド３０の構造例を示す分解斜視図である。
図３に示す記録ヘッド３０は、概略的にはケース３４０と、ヘッドユニット３１０、そしてカバーヘッド３７０を有している。
ヘッドユニット３１０は、ヘッドチップあるいはヘッドチップユニットとも呼ぶことができ、ヘッドユニット３１０は、次のような積層構造を有している。ヘッドユニット３１０は、ノズルプレート３１１、リザーバプレート３１３、供給プレート３１４、アクチュエータ３１５を有している。
【００１９】
ノズルプレート３１１は、インクを吐出するためのノズル開口であるたとえばノズル３１１ａを多数有している。ノズルプレート３１１の上には、フィルム接着材３１２が配置されている。このフィルム接着材３１２は、リザーバプレート３１３とノズルプレート３１１を接着している。
リザーバプレート３１３は、ノズルプレート３１１側にインクを供給するためのものであり、リザーバプレート３１３は、供給プレート３１４に対して別のフィルム接着材３１２を介して接着されている。
【００２０】
供給プレート３１４は、リザーバプレート３１３側にインクを供給する。供給プレート３１４の上には、アクチュエータ３１５がフィルム接着材３１３Ａにより接着されている。このアクチュエータ３１５は、外部より基板３３０とＴＣＰ３２０を介して駆動電圧が印加されると、撓み振動を発生する圧電振動子を多数有している。この圧電振動子は、ノズル３１１ａに対応してそれぞれ１つずつ配置されている。圧電振動子の撓み振動により、任意のノズル３１１ａからインクを噴射するようになっている。
【００２１】
図３のアクチュエータ３１５の上には、フレキシブル配線基板の一例であるたとえばＴＣＰ（テープ・キャリア・パッケージ）３２０が、たとえば接着により接続されている。このＴＣＰ３２０は、アクチュエータ３１５の各圧電振動子に対してそれぞれ駆動用の信号を供給するためのものである。ＴＣＰ３２０は可撓性材料などにより作られており屈曲自在である。
【００２２】
次に、図３に示す記録ヘッド３０のケース３４０について説明する。
ケース３４０は、たとえばプラスチックにより作られていて、本体部３４０Ａと突出部２００を有している。本体部３４０Ａは、開口部３４３と、複数の針部材３５１、複数のフィルタ３４２および複数の流路開口３４１を有している。開口部３４３は基板３３０を収容するための開口部である。４つの針部材３５１は、図１に示すインクカートリッジ２ないし５に対してそれぞれ着脱可能に差し込んで接続するためのものである。
【００２３】
各インクカートリッジ２ないし５内の各インクが、別々の針部材３５１を通じてそれぞれフィルタ３４２を介して流路開口３４１側に供給される。フィルタ３４２は、ケース３４０に溶着されていて、インクを濾過することで不純物や気泡を除去する。流路開口３４１に導かれた各インクカートリッジ内のインクは、ヘッドユニット３１０の供給プレート３１４側に供給されることにより、各インクは、アクチュエータ３１５の作動により、任意のノズル３１１ａからインクを噴射することができる。
【００２４】
図３の基板３３０はコネクタ３３１を有している。ヘッドユニット３１０は、突出部２００の下面側に対して配置されるものである。
図３に示すカバーヘッド３７０は、カバー部材の一例であるが、カバーヘッド３７０は、ヘッドユニット３１０を突出部２００の下面側に対して支持しながら、ケース３４０に対してはめ合いにより好ましくは着脱可能に固定することができる部材である。このカバーヘッド３７０は、たとえば導電性を有するアルミニウムや鉄あるいはステンレス鋼などにより作られている。
【００２５】
図４は、図３におけるＥ−Ｅ線における記録ヘッド３０の断面構造例を示している。
図３と図４を参照しながら、ケース３４０、カバーヘッド３７０の構造について説明する。
まずケース３４０は、針部材３５１と、カートリッジガイド３５２、突出部２００、取付部６１０，６１１、基板支持部６２０を有している。
突出部２００は、ケース３４０の一部を構成しているが、Ｚ１方向において、すなわち下方に向けて突出して形成されている部分である。この突出部２００は、略直方体形状部分である。この突出部２００の中には、インク流路（図示せず）を有しており、このインク流路は図３に示す各流路開口３４１に接続されていて、インク流路の下端部分はノズル３１１ａに接続されている。
ケース３４０のカートリッジガイド３５２は、Ｚ２方向に突出して形成されており、図１に示すインクカートリッジ２ないし５がそれぞれ着脱可能に案内してはめ込むことができる部分である。
【００２６】
針部材３５１は、Ｚ２方向に突出している。針部材３５１の下端部分と流路開口３４１の上端部分の間には、フィルタ３４２が配置されている。
基板３３０は、図４において水平方向に配置されていて、コネクタ３３１を有している。このコネクタ３３１は、外部の電気的な接続結合部分に対して着脱可能に接続することができる。この基板３３０は、ケース３４０の基板支持部６２０によりＺ２方向に対して突き当てることにより移動しないように保持されている。しかも基板３３０は、取付部６１１に対して水平方向に関して位置ずれが無いように位置決めされている。
【００２７】
一例として基板３３０の上には、位置決め用のボス３６９がＺ２方向に突出して設けられている。ＴＣＰ３２０は、図４と図３に示すアクチュエータ３１５と基板３３０を電気的に接続している。位置決め用のボス３６９は、ＴＣＰ３２０の接続端部３６５を位置決めするようになっている。
これによって、接続端部３６５は、基板３３０を介してコネクタ３３１に対して電気的に接続する。ＴＣＰ３２０は、ヘッドユニット３１０から突出部２００の外面２０９とカバーヘッド３７０の内面との間を通じて、Ｚ２方向に沿った形で配置されている。
【００２８】
図４に示す取付部６１０は、カバーヘッド３７０の固定用端部３７１を、はめ合いにより好ましくは着脱可能に取り付けて固定するための部分である。もう一方の取付部６１１は、カバーヘッド３７０の固定用端部３７２をはめ合いにより好ましくは着脱可能に取り付けて固定するための部分である。このために取付部６１０は、溝部分６１０Ａを有している。取付部６１１は、溝部分６１１Ａを有している。
【００２９】
次に、図４と図５を参照して、カバーヘッド３７０の構造についてさらに詳しく説明する。
このカバーヘッド３７０は、下ケースとも呼ぶことができ、ケース３４０は上ケースとも呼ぶことができる。
カバーヘッド３７０は、上述した固定用端部３７１，３７２を用いて、ケース３４０の取付部６１０，６１１に対してはめ合いにより着脱可能に固定することができる。しかもカバーヘッド３７０は、ヘッドユニット３１０をＺ２方向に沿って支持しながらかつ突出部２００を完全に覆うような構造を採用している。
【００３０】
カバーヘッド３７０は突出部２００を覆うためのカバー本体３８０と、延長部３８１を有している。延長部３８１には、上述したような固定用端部３７１，３７２が、Ｚ２方向に折り曲げて立ち上げるようにして形成されている。図５では延長部３８１は、好ましくはカバー本体３８０の４辺にわたって連続して形成されており、固定用端部３７１，３７２は４辺にわたって好ましくは形成されている。しかし、延長部３８１と固定用端部３７１，３７２の形状はこれに限らない。カバー本体３８０は、断面で見て略Ｕ字型を有していて、略箱形状の部分である。このカバー本体３８０に対して延長部分３８１は、図４において水平方向に延長して形成されている。
【００３１】
カバー本体３８０は、開口部３９０を有している。この開口部３９０は、図３に示すノズルプレート３１１のノズル３１１ａが、外部に露出することができるような大きさを有している。図３に示すこの開口部３９０を形成している４辺の縁部分３９３は、図３に示すノズルプレート３１１の４つの辺の周縁部３９４を密着して支持している。
【００３２】
図４に示すように、縁部分３９３は、ヘッドユニット３１０のノズルプレート３１１の周縁部３９４に対して接着材を挟んで密着して下から支持している。このために、図３に示すノズルプレート３１１のノズル３１１ａから吐出したインクが、縁部分３９３と周縁部３９４の間から侵入するのを確実に防ぐことができる。したがってインクのような液体が、内部に配置されているＴＣＰ３２０や基板３３０およびコネクタ３３１に対して付着するのを確実に防ぐことができ、ＴＣＰ３２０、基板３３０およびコネクタ３３１における電気的接続状態におけるトラブルを確実に防ぐことができる。
【００３３】
図６は、図４に示すケース３４０の上にインクカートリッジ２ないし５が装着された状態の例を示している。
インクカートリッジ２はケース３４０のカートリッジガイド３５２によりガイドされた状態で装着されている。針部材３５１は、インクカートリッジ２ないし５内に挿入されることで、インクカートリッジ２ないし５内のインクがそれぞれ対応する針部材３５１を通じて記録ヘッド３０のノズル側にインクを供給する。
【００３４】
図７は、図４に示す基板３３０、ＴＣＰ３２０、そして突出部２００の端部２９０の形状例を示している。
ＴＣＰ３２０の接続端部３６５は、本体部７１０と帯状の周囲部分７２０を有している。本体部７１０は、図３に示すアクチュエータ３１５に対して電気的に接続される。帯状の周囲部分７２０は本体部７１０の周囲に囲むようにして形成されていて、たとえば電気的なグランドラインを配置することができる。これによって、ヘッドユニット３１０における電気的なグランドの確保が十分に行える。
【００３５】
突出部２００の端部２９０は、帯状の周囲部分７２０の上に置かれている。
これによって、突出部２００の端部は周囲部分７２０により同一平面上に配置することができ、図４のＺ２あるいはＺ１に関して凹凸形状にならない。これによって、ＴＣＰ３２０は、周囲部分７２０を用いて、図４における突出部２００の端部２９０に対して確実に配置することができる。
【００３６】
図８は、図４における縁部分３９３と周縁部３９４の密着状態を示している。縁部分３９３と周縁部３９４は、接着材を介して密着されていることにより、ノズルプレート３１１のノズルから噴射されるインク７９０が、縁部分３９３と周囲部分３９４の間からＴＣＰ３２０側に侵入するのを確実に防ぐことができる。これによって、ＴＣＰ３２０と基板３３０およびコネクタ３３１は、インク７９０の付着を防ぐために、電気的導通上のトラブルを防ぐことができる。
【００３７】
図９は、図４における固定用端部３７１，３７２と取付部６１０，６１１の形状例を拡大して示している。
固定用端部３７１は、バネ力により取付部６１０の内面に対してＹ方向に付勢されている。同様にして固定用端部３７２は、取付部６１１の内面に対して同様にＹ方向に付勢されている。
固定用端部３７１，３７２のこのような付勢力をたとえば手で押して解除することにより、図４に示すカバーヘッド３７０はケース３４０から簡単に取り外すことができる。
【００３８】
図１０は、図９のはめ合い構造の別の実施形態を示している。
図１０の実施形態が図９の実施形態と異なるのは、固定用端部３７１に突起３７１Ａが形成されており、もう１つの固定用端部３７２にも突起３７２Ａが形成されていることである。
この突起３７１Ａは、取付部６１０の凹部６１０Ｂに対して着脱可能にはめ込むことができる。突起３７２Ａは、取付部６１１の凹部６１１Ｂに対して着脱可能にはめ込むことができる。このような突起を設けることにより、固定用端部３７１，３７２は、取付部６１０，６１１に対してより確実に固定することができる。
【００３９】
本発明の実施形態では、図３と図４に示すようにケース３４０が上ケースとすれば、カバーヘッド３７０は下ケースに相当する。カバーヘッド３７０は、ヘッドユニット３１０を下から収容して支えながら、しかもカバーヘッド３７０はケース３４０の突出部２００をも収容している。カバーヘッド３７０はケース３４０に対して機械的なはめ合いにより好ましくは着脱可能に取り付けることができる。
本発明の実施形態の記録ヘッド３０は、たとえばねじにより組立てたりあるいは熱カシメなどにより固定するのに比べて、簡単に組立てることができる。しかも記録ヘッド３０の内部をメンテナンスする場合には、カバーヘッド３７０はケースから簡単に取り外すことができるのである。
【００４０】
本発明の実施形態では、ヘッドユニットはケースの突出部に配置した後に、カバー部材は、ヘッドユニットのノズル面の周縁部を支持しながらケースの突出部の外周面を覆うようにしてケースに対してはめ合いにより簡単にかつ確実に固定することができる。液体噴射ヘッドは、ケース、ヘッドユニットおよびカバー部材により構成するだけで済むので、構造が簡単であり、組立性も向上する。
本発明の実施形態では、カバー部材は金属材で作ることにより、ケースの突出部を覆うような形状であっても簡単に作ることができる。そしてカバー部材の固定用端部は、ケースに対して着脱自在に固定できることにより、ケースとカバー部材の組立およびケースからカバー部材を取り外すのが容易に行える。
【００４１】
本発明の実施形態では、基板と電気接続部材は、カバー部材により覆われることにより、ヘッドユニットのノズル面が吐出する液体にはさらされること無く、電気的なトラブルを防ぐことができる。ノズル面から噴射した液体が、カバー部材とノズル面の周縁部の間から内部に侵入するのを確実に防ぐことができ、液体が基板や電気接続部材に対して付着するのを防ぐことができる。
【００４２】
本発明の実施形態では、上ケースに相当するケース３４０と下ケースに相当するたとえば金属製のカバーヘッド３７０をはめ込みにより組立てる構造になっている。このために、たとえば従来用いられていたケースは、上ケースと下ケースを組立てた後に、下ケースの突出部に対してヘッドユニットを配置し、その後小さなカバー部材を用いてヘッドユニットを支持する構造になっているものがある。このような従来の構造に対して、本発明の実施形態の構造であると、部品点数が少なくでき、しかも組立および分解が容易にできるメリットがある。
【００４３】
図示した本発明の実施形態においては、ブラックインク、シアンインク、マゼンタインク、イエローインクの各インクを使用する４つのインクカートリッジが、キャリッジに装着できるようになっている。このインクカートリッジの数はこれに限らず、ブラックインク用のインクカートリッジだけを備えているものや、ブラックインクを除いた２色や３色のカラーインク用の３つのインクカートリッジや、あるいは５つのインクカートリッジ、あるいは６つ以上のインクカートリッジを備えているものであってもよい。
【００４４】
本発明は、インクジェット式記録装置としての上記実施形態に限定されず、特許請求の範囲を逸脱しない範囲で種々の変更を行うことができる。さらに、上述の各実施形態は、相互に組み合わせて構成するようにしてもよい。また、本発明は、インクジェット式記録装置に限らず、プリンタ等の画像記録装置に用いられる記録ヘッド、液晶ディスプレイ等のカラーフィルタの製造に用いられる色材噴射ヘッド、有機ＥＬディスプレイ、ＦＥＤ（面発光ディスプレイ）等の電極形成に用いられる電極材噴射ヘッド、バイオチップ製造に用いられる生体有機物噴射ヘッド等の液体を吐出する液体噴射ヘッドを用いた液体噴射装置、精密ピペットとしての試料噴射装置等にも適用できる。
【００４５】
本発明は、上記実施形態に限定されず、特許請求の範囲を逸脱しない範囲で種々の変更を行うことができる。
上記実施形態の各構成は、その一部を省略したり、上記とは異なるように任意に組み合わせることができる。
【図面の簡単な説明】
【００４６】
【図１】本発明の液体噴射装置の好ましい実施形態であるインクジェット式記録装置を示す概略斜視図。
【図２】図１のインクジェット式記録装置における電気的な接続例を示すブロック図。
【図３】記録ヘッドの分解斜視図。
【図４】ケース、ヘッドユニットおよびカバーヘッドを示す図３におけるＥ−Ｅ線における断面構造例を示す図。
【図５】カバーヘッドの構造例を示す斜視図。
【図６】インクカートリッジが搭載された例を示す図。
【図７】電気接続部材であるＴＣＰの形状例を示す斜視図。
【図８】図４におけるカバーヘッドの縁部分とヘッドユニットのノズルプレートの周縁部における密着性を示す図。
【図９】図４における固定用端部と取付部のはめ合い状態の例を示す図。
【図１０】図９の別の実施形態を示す図。
【符号の説明】
【００４７】
１０・・・インクジェット式記録装置、３０・・・記録ヘッド、２００・・・突出部、３１０・・・ヘッドユニット、３４０・・・ケース、３７０・・・カバーヘッド（カバー部材）、３７１，３７２・・・固定用端部、６１０，６１１・・・取付部
【図１】
2006224424.tif 000003
【図２】
2006224424.tif 000004
【図３】
2006224424.tif 000005
【図４】
2006224424.tif 000006
【図５】
2006224424.tif 000007
【図６】
2006224424.tif 000008
【図７】
2006224424.tif 000009
【図８】
2006224424.tif 000010
【図９】
2006224424.tif 000011
【図１０】
2006224424.tif 000012